【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
発射強度を可変して遊技球を発射可能な発射手段と、
前記発射手段によって発射された遊技球が流下する遊技領域が設けられた遊技盤と、
前記遊技領域を流下する遊技球が進入可能に設けられた第１始動領域および第２始動領域と、
前記第１始動領域または前記第２始動領域への遊技球の進入を条件として、前記遊技領域に設けられた大入賞口が開閉される特別遊技の実行可否が対応付けられた図柄を決定するための乱数を取得する乱数取得手段と、
予め設定された始動条件が成立すると、前記乱数取得手段によって取得された乱数に基づいて、前記特別遊技の実行が対応付けられた第１の特定図柄および第２の特定図柄を少なくとも含む複数種類の図柄の中からいずれかの図柄を決定する図柄決定手段と、
前記図柄決定手段によって前記図柄が決定された場合に、当該図柄が決定されたときの状態が予め設定された第１変動状態であれば、第１条件にしたがって図柄の変動表示の時間を決定し、当該図柄が決定されたときの状態が前記第１変動状態とは別に設けられた第２変動状態であれば、前記第１条件とは異なる第２条件にしたがって図柄の変動表示の時間を決定する変動時間決定手段と、
前記第１始動領域への遊技球の進入によって取得された乱数に基づいて決定された図柄の変動表示の時間が決定されると、図柄の変動表示を開始するとともに、当該変動表示の時間が経過すると、前記図柄決定手段によって決定された図柄を停止表示させる第１変動表示手段と、
前記第２始動領域への遊技球の進入によって取得された乱数に基づいて決定された図柄の変動表示の時間が決定されると、図柄の変動表示を開始するとともに、当該変動表示の時間が経過すると、前記図柄決定手段によって決定された図柄を停止表示させる第２変動表示手段と、
前記第１変動表示手段または前記第２変動表示手段によって前記特別遊技の実行が対応付けられた図柄が停止表示されたことを条件として、該特別遊技を実行する特別遊技実行手段と、
前記第１の特定図柄が停止表示されて特別遊技が実行されたことを条件として前記第１変動状態に設定し、前記第２の特定図柄が停止表示されて特別遊技が実行されたことを条件として前記第２変動状態に設定する変動状態設定手段と、を備え、
前記図柄決定手段は、
前記特別遊技が実行されておらず、かつ、前記第１変動表示手段および前記第２変動表示手段による図柄の変動表示が行われていない場合に、前記第１始動領域または前記第２始動領域への遊技球の進入によって取得された乱数に基づいて前記図柄を決定可能であり、
前記第１変動表示手段による図柄の変動表示中であって、前記第２変動表示手段による図柄の変動表示が行われていない場合に、前記第２始動領域への遊技球の進入によって取得された乱数に基づいて前記図柄を決定可能であり、
前記第２変動表示手段による図柄の変動表示中であって、前記第１変動表示手段による図柄の変動表示が行われていない場合に、前記第１始動領域への遊技球の進入によって取得された乱数に基づいて前記図柄を決定可能であり、
前記第１条件は、
前記第２始動領域への遊技球の進入に基づいて前記図柄が決定された場合には、前記第１始動領域への遊技球の進入に基づいて前記図柄が決定された場合よりも、前記図柄の変動表示の時間が長時間となるように設定されており、
前記第２条件は、
前記第１始動領域への遊技球の進入に基づいて前記図柄が決定された場合には、前記第２始動領域への遊技球の進入に基づいて前記図柄が決定された場合よりも、前記図柄の変動表示の時間が長時間となるように設定されていることを特徴とする遊技機。
【請求項２】
前記図柄決定手段は、
前記第２始動領域への遊技球の進入を条件として前記図柄を決定する場合には、前記第１始動領域への遊技球の進入を条件として前記図柄を決定する場合よりも、前記第２の特定図柄を高確率で決定することを特徴とする請求項１記載の遊技機。
【請求項３】
前記遊技領域は、
前記発射手段の発射強度に応じて、遊技球の進入頻度を異にする第１遊技領域および第２遊技領域を有し、
前記第１始動領域は、
前記第１遊技領域に進入した遊技球のみが進入可能であるか、もしくは、前記第１遊技領域に進入した遊技球の方が、前記第２遊技領域に進入した遊技球よりも進入しやすい位置に配され、
前記第２始動領域は、
前記第２遊技領域に進入した遊技球のみが進入可能であるか、もしくは、前記第２遊技領域に進入した遊技球の方が、前記第１遊技領域に進入した遊技球よりも進入しやすい位置に配されていることを特徴とする請求項１または２記載の遊技機。
【手続補正２】
【補正対象書類名】明細書
【補正対象項目名】０００８
【補正方法】変更
【補正の内容】
【０００８】
上記課題を解決するために、本発明の遊技機は、発射強度を可変して遊技球を発射可能な発射手段と、前記発射手段によって発射された遊技球が流下する遊技領域が設けられた遊技盤と、前記遊技領域を流下する遊技球が進入可能に設けられた第１始動領域および第２始動領域と、前記第１始動領域または前記第２始動領域への遊技球の進入を条件として、前記遊技領域に設けられた大入賞口が開閉される特別遊技の実行可否が対応付けられた図柄を決定するための乱数を取得する乱数取得手段と、予め設定された始動条件が成立すると、前記乱数取得手段によって取得された乱数に基づいて、前記特別遊技の実行が対応付けられた第１の特定図柄および第２の特定図柄を少なくとも含む複数種類の図柄の中からいずれかの図柄を決定する図柄決定手段と、前記図柄決定手段によって前記図柄が決定された場合に、当該図柄が決定されたときの状態が予め設定された第１変動状態であれば、第１条件にしたがって図柄の変動表示の時間を決定し、当該図柄が決定されたときの状態が前記第１変動状態とは別に設けられた第２変動状態であれば、前記第１条件とは異なる第２条件にしたがって図柄の変動表示の時間を決定する変動時間決定手段と、前記第１始動領域への遊技球の進入によって取得された乱数に基づいて決定された図柄の変動表示の時間が決定されると、図柄の変動表示を開始するとともに、当該変動表示の時間が経過すると、前記図柄決定手段によって決定された図柄を停止表示させる第１変動表示手段と、前記第２始動領域への遊技球の進入によって取得された乱数に基づいて決定された図柄の変動表示の時間が決定されると、図柄の変動表示を開始するとともに、当該変動表示の時間が経過すると、前記図柄決定手段によって決定された図柄を停止表示させる第２変動表示手段と、前記第１変動表示手段または前記第２変動表示手段によって前記特別遊技の実行が対応付けられた図柄が停止表示されたことを条件として、該特別遊技を実行する特別遊技実行手段と、前記第１の特定図柄が停止表示されて特別遊技が実行されたことを条件として前記第１変動状態に設定し、前記第２の特定図柄が停止表示されて特別遊技が実行されたことを条件として前記第２変動状態に設定する変動状態設定手段と、を備え、前記図柄決定手段は、前記特別遊技が実行されておらず、かつ、前記第１変動表示手段および前記第２変動表示手段による図柄の変動表示が行われていない場合に、前記第１始動領域または前記第２始動領域への遊技球の進入によって取得された乱数に基づいて前記図柄を決定可能であり、前記第１変動表示手段による図柄の変動表示中であって、前記第２変動表示手段による図柄の変動表示が行われていない場合に、前記第２始動領域への遊技球の進入によって取得された乱数に基づいて前記図柄を決定可能であり、前記第２変動表示手段による図柄の変動表示中であって、前記第１変動表示手段による図柄の変動表示が行われていない場合に、前記第１始動領域への遊技球の進入によって取得された乱数に基づいて前記図柄を決定可能であり、前記第１条件は、前記第２始動領域への遊技球の進入に基づいて前記図柄が決定された場合には、前記第１始動領域への遊技球の進入に基づいて前記図柄が決定された場合よりも、前記図柄の変動表示の時間が長時間となるように設定されており、前記第２条件は、前記第１始動領域への遊技球の進入に基づいて前記図柄が決定された場合には、前記第２始動領域への遊技球の進入に基づいて前記図柄が決定された場合よりも、前記図柄の変動表示の時間が長時間となるように設定されていることを特徴とする。
【手続補正３】
【補正対象書類名】明細書
【補正対象項目名】０００９
【補正方法】変更
【補正の内容】
【０００９】
また、前記図柄決定手段は、前記第２始動領域への遊技球の進入を条件として前記図柄を決定する場合には、前記第１始動領域への遊技球の進入を条件として前記図柄を決定する場合よりも、前記第２の特定図柄を高確率で決定するとよい。
【手続補正４】
【補正対象書類名】明細書
【補正対象項目名】００１１
【補正方法】削除
【補正の内容】